(57)【要約】【課題】薄板状のガラスのように柔軟性の低い素材のフィルタであっても、上から押し付けるだけで簡単に所定位置に嵌め込むことができ、接着剤に頼らずに確実にフィルタの組み付けができるフィルタ枠を提供する。【解決手段】外周枠部１１と、中間梁１２と、外周枠部１１の第２対向辺１１Ｃ、１１Ｄの近傍に、各第２対向辺との間に撓み空間１４を確保した状態で配され、両端が第１対向辺１１Ａ、１１Ｂに連結された可撓梁１３と、可撓梁の長さ方向の両端近傍に配されることで、可撓梁の長さ方向の中間部１３ａを中間梁から離間する方向に略平行に変位自在とする弾性変形部１３ｂと、中間梁に突設された第１の上側係止爪１８と、第１対向辺の各内縁の下面側に突設された第１の下側係止爪１６と、可撓梁の下面側に突設された第２の下側係止爪１７と、可撓梁の中間部の上面側に突設された第２の上側係止爪２０と、第２の上側係止爪の上面角部に設けられたカム斜面２０ａと、を有する。【選択図】図２
0003128638.tif 000002
【実用新案登録請求の範囲】
【請求項１】
互いに直交する関係を有した第１対向辺と第２対向辺とで長方形の開口部を囲む長方形平板状の外周枠部と、
前記長方形の開口部の内側で前記第２対向辺のうちの一方の辺の近傍に、該辺との間に撓み空間を確保した状態で配され、両端が前記第１対向辺に連結された可撓梁と、
該可撓梁の長さ方向の両端近傍に配されることで、可撓梁の長さ方向の中間部を前記中間梁から離間する方向に略平行に変位自在とする弾性変形部と、
前記第２対向辺のうちの他方の辺の上面側に、前記長方形の開口部に向けて突設されたフィルタ周縁部係止用の第１の上側係止爪と、
前記第１対向辺の各内縁の下面側に、前記長方形の開口部に向けて突設されたフィルタ周縁部係止用の第１の下側係止爪と、
前記可撓梁の下面側に、前記長方形の開口部に向けて突設されたフィルタ周縁部係止用の第２の下側係止爪と、
前記可撓梁の変位自在とされた長さ方向の中間部の上面側に、前記長方形の開口部に向けて突設されたフィルタ周縁部係止用の第２の上側係止爪と、
該第２の上側係止爪の前記長方形の開口部側の上面角部に設けられたカム斜面と、
を有し、
前記第１の上側係止爪の下側に長方形状のフィルタの第１の直線辺部を差し込み、それに対向する第２の直線辺部の下端縁を前記第２の上側係止爪のカム斜面に当接させた状態で、前記長方形状のフィルタの第２直線辺部側を下方へ押圧することで、前記カム斜面の作用により前記可撓梁を外側に撓ませながら、前記第２の上側係止爪の下側に長方形状のフィルタの第２の直線辺部を通過させ、それにより、長方形状のフィルタの下面周縁を前記第１、第２の下側爪で受け止めると共に、長方形状のフィルタの上面周縁を前記第１、第２の上面係止爪で受け止めるようにしたことを特徴とする樹脂製のフィルタ枠。
【請求項２】
互いに直交する関係を有した第１対向辺と第２対向辺とで長方形の開口部を囲む長方形平板状の外周枠部と、
前記第１対向辺の長さ方向の中間部同士をつなぐことで、前記長方形の開口部を、長方形状のフィルタを嵌め込むための２つのフィルタ嵌込開口部に二分する中間梁と、
前記各フィルタ嵌込開口部の内側で前記第２対向辺の近傍に、該各第２対向辺との間に撓み空間を確保した状態で配され、両端が前記第１対向辺に連結された可撓梁と、
該可撓梁の長さ方向の両端近傍に配されることで、可撓梁の長さ方向の中間部を前記中間梁から離間する方向に略平行に変位自在とする弾性変形部と、
前記中間梁の上面側に、前記各フィルタ嵌込開口部に向けて突設されたフィルタ周縁部係止用の第１の上側係止爪と、
前記第１対向辺の各内縁の下面側に、前記フィルタ嵌込開口部に向けて突設されたフィルタ周縁部係止用の第１の下側係止爪と、
前記可撓梁の下面側に、前記フィルタ嵌込開口部に向けて突設されたフィルタ周縁部係止用の第２の下側係止爪と、
前記可撓梁の変位自在とされた長さ方向の中間部の上面側に、前記フィルタ嵌込開口部に向けて突設されたフィルタ周縁部係止用の第２の上側係止爪と、
該第２の上側係止爪の前記フィルタ嵌込開口部側の上面角部に設けられたカム斜面と、を有し、
前記中間梁に突設した第１の上側係止爪の下側に前記長方形状のフィルタの第１の直線辺部を差し込み、それに対向する第２の直線辺部の下端縁を前記第２の上側係止爪のカム斜面に当接させた状態で、前記長方形状のフィルタの第２直線辺部側を下方へ押圧することで、前記カム斜面の作用により前記可撓梁を外側に撓ませながら、前記第２の上側係止爪の下側に長方形状のフィルタの第２の直線辺部を通過させ、それにより、長方形状のフィルタの下面周縁を前記第１、第２の下側爪で受け止めると共に、長方形状のフィルタの
上面周縁を前記第１、第２の上面係止爪で受け止めるようにしたことを特徴とする樹脂製のフィルタ枠。
【請求項３】
請求項１または２に記載の樹脂製のフィルタ枠であって、
前記第２の上側係止爪が、前記可撓梁の長さ方向の中間点に対し左右対称に互いに間隔をおいて複数個設けられていることを特徴とする樹脂製フィルタ枠。
【請求項４】
請求項１〜３のいずれか１項に記載の樹脂製のフィルタ枠であって、
前記弾性変形部が、前記可撓梁の両側縁に凹型の切欠を入れて局部的に断面積を減らすことにより、弾性変形しやすい部分として形成されていることを特徴とする樹脂製のフィルタ枠。
【請求項５】
請求項１〜４のいずれか１項に記載の樹脂製のフィルタ枠の開口部に、樹脂製またはガラス製の薄板状の長方形のフィルタを嵌めたことを特徴とするフィルタユニット。
【請求項６】
スライドベースの上面に、請求項５に記載のフィルタユニットをスライド自在に配設すると共に、前記フィルタを光路に対して抜き差し自在となるように前記フィルタユニットを駆動するフィルタ駆動装置を設けたことを特徴とするフィルタ切換装置。
【考案の詳細な説明】
【技術分野】
【０００１】
本考案は、赤外カットフィルタなどの光学フィルタが取り付けられて、光学系の光路内に出し入れされる樹脂製のフィルタ枠、そのフィルタ枠にフィルタを嵌め込んだフィルタユニット、そのフィルタユニットを組み込んだフィルタ切換装置に関するものである。
【背景技術】
【０００２】
従来、昼夜監視カメラシステムとして、カメラボデイのカラー撮像素子（ＣＣＤ又はＣＭＯＳ等）上に、昼間は可視光領域の光を結像させてカラー撮影を行い、夜間は可視光領域の光に加えて近赤外領域の光を結像させてモノクロ撮影を行って、ＴＶモニタ上に監視像を映し出す監視カメラシステム（ＣＣＴＶ）が知られている（例えば、特許文献１参照）。
【０００３】
このシステムは、昼間の撮影時には、撮像素子の前方（カメラボデイ内またはレンズ鏡筒内）に赤外カットフィルタを位置させて、可視光領域の光のみに基づいてカラー撮影を行い、また夜間の撮影時には、同赤外カットフィルタを撮像素子の前方から取り除き、赤外波長域から可視波長域にわたる帯域の光に基づいてモノクロ撮影を行う。
【０００４】
この場合、赤外カットフィルタは、スライド式のフィルタ枠に取り付けられた上で、例えば、絞り基板上にスライド自在に配置されている。一般に、この種の赤外カットフィルタ等の光学フィルタは、ガラスや樹脂等の薄い基板上に光学薄膜をコーティングしたものであるため、別に成形した樹脂製のフィルタ枠に、後から取り付ける必要がある。
【０００５】
従来、光学フィルタをフィルタ枠に取り付ける方法としては、主に爪部で位置決めしながら接着剤で接着する方法が採られている。また、押さえ爪の内側にフィルタの周縁部を潜らせて、押さえ爪でフィルタを押さえ付ける方法が採られることもある（特許文献２参照）。
【０００６】
【特許文献１】特開２００２−１８９２３８号公報
【特許文献２】特開平１１−１３３４７８号公報
【考案の開示】
【考案が解決しようとする課題】
【０００７】
ところで、従来のフィルタ枠に対するフィルタの取り付けは、主に接着剤に頼った方式であったため、組み付け作業が繁雑で、時間がかかるという問題があった。また、押さえ爪でフィルタを押さえ付ける方式は、フィルタの柔軟性に頼りながら、押さえ爪の下側にフィルタの周縁部を潜らせる方式であったため、ガラスのように柔軟性の低い素材のフィルタの場合、破損のおそれが大きく、適用が難しいという問題があった。
【０００８】
本考案は、上記事情を考慮し、薄板状のガラスのように柔軟性の低い素材のフィルタであっても、上から押し付けるだけで簡単に所定位置に嵌め込むことができ、接着剤に頼らずに確実にフィルタの組み付けができるフィルタ枠、そのフィルタ枠にフィルタを嵌め込んだフィルタユニット、そのフィルタユニットを組み込んだフィルタ切換装置を提供することを目的とする。
【課題を解決するための手段】
【０００９】
請求項１の考案の樹脂製のフィルタ枠は、互いに直交する関係を有した第１対向辺と第２対向辺とで長方形の開口部を囲む長方形平板状の外周枠部と、前記長方形の開口部の内
側で前記第２対向辺のうちの一方の辺の近傍に、該辺との間に撓み空間を確保した状態で配され、両端が前記第１対向辺に連結された可撓梁と、該可撓梁の長さ方向の両端近傍に配されることで、可撓梁の長さ方向の中間部を前記中間梁から離間する方向に略平行に変位自在とする弾性変形部と、前記第２対向辺のうちの他方の辺の上面側に、前記長方形の開口部に向けて突設されたフィルタ周縁部係止用の第１の上側係止爪と、前記第１対向辺の各内縁の下面側に、前記長方形の開口部に向けて突設されたフィルタ周縁部係止用の第１の下側係止爪と、前記可撓梁の下面側に、前記長方形の開口部に向けて突設されたフィルタ周縁部係止用の第２の下側係止爪と、前記可撓梁の変位自在とされた長さ方向の中間部の上面側に、前記長方形の開口部に向けて突設されたフィルタ周縁部係止用の第２の上側係止爪と、該第２の上側係止爪の前記長方形の開口部側の上面角部に設けられたカム斜面と、有し、前記第１の上側係止爪の下側に長方形状のフィルタの第１の直線辺部を差し込み、それに対向する第２の直線辺部の下端縁を前記第２の上側係止爪のカム斜面に当接させた状態で、前記長方形状のフィルタの第２直線辺部側を下方へ押圧することで、前記カム斜面の作用により前記可撓梁を外側に撓ませながら、前記第２の上側係止爪の下側に長方形状のフィルタの第２の直線辺部を通過させ、それにより、長方形状のフィルタの下面周縁を前記第１、第２の下側爪で受け止めると共に、長方形状のフィルタの上面周縁を前記第１、第２の上面係止爪で受け止めるようにしたことを特徴とする。
【００１０】
請求項２の考案の樹脂製のフィルタ枠は、互いに直交する関係を有した第１対向辺と第２対向辺とで長方形の開口部を囲む長方形平板状の外周枠部と、前記第１対向辺の長さ方向の中間部同士をつなぐことで、前記長方形の開口部を、長方形状のフィルタを嵌め込むための２つのフィルタ嵌込開口部に二分する中間梁と、前記各フィルタ嵌込開口部の内側で前記第２対向辺の近傍に、該各第２対向辺との間に撓み空間を確保した状態で配され、両端が前記第１対向辺に連結された可撓梁と、該可撓梁の長さ方向の両端近傍に配されることで、可撓梁の長さ方向の中間部を前記中間梁から離間する方向に略平行に変位自在とする弾性変形部と、前記中間梁の上面側に、前記各フィルタ嵌込開口部に向けて突設されたフィルタ周縁部係止用の第１の上側係止爪と、前記第１対向辺の各内縁の下面側に、前記フィルタ嵌込開口部に向けて突設されたフィルタ周縁部係止用の第１の下側係止爪と、前記可撓梁の下面側に、前記フィルタ嵌込開口部に向けて突設されたフィルタ周縁部係止用の第２の下側係止爪と、前記可撓梁の変位自在とされた長さ方向の中間部の上面側に、前記フィルタ嵌込開口部に向けて突設されたフィルタ周縁部係止用の第２の上側係止爪と、該第２の上側係止爪の前記フィルタ嵌込開口部側の上面角部に設けられたカム斜面と、有し、前記中間梁に突設した第１の上側係止爪の下側に前記長方形状のフィルタの第１の直線辺部を差し込み、それに対向する第２の直線辺部の下端縁を前記第２の上側係止爪のカム斜面に当接させた状態で、前記長方形状のフィルタの第２直線辺部側を下方へ押圧することで、前記カム斜面の作用により前記可撓梁を外側に撓ませながら、前記第２の上側係止爪の下側に長方形状のフィルタの第２の直線辺部を通過させ、それにより、長方形状のフィルタの下面周縁を前記第１、第２の下側爪で受け止めると共に、長方形状のフィルタの上面周縁を前記第１、第２の上面係止爪で受け止めるようにしたことを特徴とする。
【００１１】
請求項３の考案は、請求項１または２に記載の樹脂製のフィルタ枠であって、前記第２の上側係止爪が、前記可撓梁の長さ方向の中間点に対し左右対称に互いに間隔をおいて複数個設けられていることを特徴とする。
【００１２】
請求項４の考案は、請求項１〜３のいずれか１項に記載の樹脂製のフィルタ枠であって、前記弾性変形部が、前記可撓梁の両側縁に凹型の切欠を入れて局部的に断面積を減らすことにより、弾性変形しやすい部分として形成されていることを特徴とする。
【００１３】
請求項５の考案のフィルタユニットは、請求項１〜４のいずれか１項に記載のフィルタ枠の開口部に、樹脂製またはガラス製の薄板状の長方形のフィルタを嵌めたことを特徴と
する。
【００１４】
請求項６の考案のフィルタ切換装置は、スライドベースの上面に、請求項５に記載のフィルタユニットをスライド自在に配設すると共に、前記フィルタを光路に対して抜き差し自在となるように前記フィルタユニットを駆動するフィルタ駆動装置を設けたことを特徴とする。
【考案の効果】
【００１５】
請求項１及び請求項２の考案によれば、第１の上側係止爪の下側に長方形状のフィルタの第１の直線辺部を差し込み、それに対向する第２の直線辺部の下端縁を第２の上側係止爪のカム斜面に当接させた状態で、フィルタの第２直線辺部側を下方へ押圧することで、カム斜面の作用により可撓梁を外側に撓ませながら、第２の上側係止爪の下側にフィルタの第２の直線辺部を通過させることができ、それにより、フィルタの下面周縁を第１、第２の下側爪で受け止めると共に、フィルタの上面周縁を第１、第２の上面係止爪で受け止めることができる。従って、接着剤などを使用せずに、簡単にフィルタを所定位置に嵌め込み固定することができる。
【００１６】
その場合、可撓梁の両端近傍に弾性変形部があることによって、可撓梁の長さ方向の中間部全体が安定した姿勢のまま略平行に変位することになり、フィルタの直線辺部の下面エッジが可撓梁上のカム斜面に押し当たった際に、局部当たりしにくくなる。特に、可撓梁の中間部の剛性を高めておけば、両端近傍の弾性変形部だけに変形を集中させることができるので、カム斜面をフィルタの下面エッジに正しい姿勢で正対させることができ、無理な応力の発生を無くすことができる。従って、カム斜面にフィルタの下面エッジを押し当てた際の力の分散効果が期待できることになり、それによって、極めて薄いフィルタやガラスのようにデリケートなフィルタでも、傷つけることなく、所定位置に容易に嵌め込むことができる。
【００１７】
また、本考案のフィルタ枠は、フィルタを嵌め込む開口部の全周を囲む外周枠部を、可撓梁とは別に独立して有しているので、つまり、外周枠部自体の一部の可撓性を利用しながらフィルタを嵌め込むものではないので、フィルタ枠全体の剛性を外周枠部によって負担することができ、その外周枠部によって、外力からフィルタを安全に保護することができる。
【００１８】
請求項３の考案によれば、間隔をおいて第２の上側係止爪を設けているので、第２の上側係止爪と第２の下側係止爪を重ならない位置に配置することができ、樹脂で成形しやすくなる。また、第２の上側係止爪を左右対称に配置しているので、バランスよくフィルタをカム斜面に当てることができ、フィルタに局部的な応力が発生するのを極力避けることができる。
【００１９】
請求項４の考案によれば、特性を揃えた弾性変形部を簡単に設けることができ、カム斜面に向けてのフィルタの下方への押圧によって、安定した姿勢のまま、可撓梁の中間部を略平行に変位させることができ、無理なくフィルタを所定位置に嵌め込むことができる。
【００２０】
請求項５の考案によれば、請求項１〜４のいずれかに記載のフィルタ枠を備えたフィルタユニットを提供することができる。
【００２１】
請求項６の考案によれば、請求項５に記載のフィルタユニットをスライド自在に備えたフィルタ切換装置を提供することができる。
【考案を実施するための最良の形態】
【００２２】
以下、本考案の実施形態を説明する。
図１は第１実施形態のフィルタ枠を使用したフィルタ切換装置の平面図、図２は実施形態のフィルタ枠の構成図であり、（ａ）は平面図、（ｂ）は（ａ）のＩＩｂ−ＩＩｂ矢視断面図、（ｃ）は（ａ）のＩＩｃ−ＩＩｃ矢視断面図、図３はフィルタ枠の裏側から見た平面図である。図４はフィルタ枠にフィルタを嵌め込む際の作用説明用の要部断面図で、（ａ）はフィルタを嵌め込む途中の状態を示す断面図、（ｂ）はフィルタを嵌め込んだ後の状態を示す断面図、図５はフィルタを嵌め込んだ後の状態を別の方向から見た断面図、図６はフィルタを嵌め込む際の可撓梁の撓みの様子を示す部分拡大平面図、図７は本考案（ａ）と比較例（ｂ）を比べた場合の作用説明のための部分平面図である。
【００２３】
図１に示すフィルタ切換装置は、スライドベース１の上面にフィルタユニット１０をスライド自在に配設し、そのフィルタユニット１０をフィルタ駆動装置２によりスライドさせて、光路（中心線Ｌ１、Ｌ２の交差する位置を中心Ｏとする開口）上に位置するフィルタＦ１、Ｆ２を切り換えることができるようにしたものである。
【００２４】
２枚の光学フィルタＦ１、Ｆ２は、異なる光学特性を有するもので、例えば、一方が赤外カットフィルタ、他方が赤外カットフィルタと光路長を等しくするためのダミーフィルタで構成されている。これらフィルタＦ１、Ｆ２は２枚並べて長方形板状のフィルタ枠１０Ａに組み付けられており、フィルタ枠１０Ａと２枚のフィルタＦ１、Ｆ２とによってフィルタユニット１０が構成されている。
【００２５】
また、２枚のフィルタＦ１、Ｆ２は、それぞれ露光用の開口（光路）の全面を覆う大きさのもので、フィルタ枠１０Ａのスライドストロークは、各フィルタＦ１、Ｆ２の中心を選択的に開口の中心Ｏに位置決めすることができる大きさ（即ち両フィルタＦ１、Ｆ２の中心間距離）に設定されている。スライドベース１には、フィルタ枠１０Ａのストローク範囲（スライド限）を決めるためのストッパ３Ａ、３Ｂが設けられており、フィルタ枠１０Ａが一方のストッパ３Ａに当たるまでスライドしたとき、一方のフィルタＦ１の中心が開口の中心Ｏに位置決めされ、フィルタ枠１０Ａが他方のストッパ３Ｂに当たるまでスライドしたとき、他方のフィルタＦ２の中心が開口の中心Ｏに位置決めされるようになっている。
【００２６】
フィルタ枠１０Ａには、２枚並んだフィルタＦ１、Ｆ２の両側に位置させて、スライド方向に平行なガイド溝５１、５２、５３が設けられており、これらガイド溝５１、５２、５３がスライドベース１上に突設したガイドピン（図示略）に嵌まっていることで、フィルタユニット１０が直線スライドできるようにガイドされている。また、フィルタ枠１０Ａの側部には突片５４が設けられており、この突片５４に立設したピン５５に、フィルタ駆動装置２の揺動アーム５の係合溝５ａが嵌まっており、揺動アーム５が揺動することで、フィルタユニット１０がスライドするようになっている。
【００２７】
フィルタ枠１０Ａは、樹脂成形品よりなり、図２、図３に示すように、互いに直交する関係を有した第１対向辺１１Ａ、１１Ｂと第２対向辺１１Ｃ、１１Ｄとで長方形の開口部を囲む長方形平板状の外周枠部１１と、第１対向辺１１Ａ、１１Ｂの長さ方向の中間部同士をつなぐことで、長方形の開口部を、長方形状のフィルタＦ１、Ｆ２を嵌め込むための２つのフィルタ嵌込開口部Ｓ１、Ｓ２に二分する中間梁１２と、各フィルタ嵌込開口部Ｓ１、Ｓ２の内側で第２対向辺１１Ｃ、１１Ｄの近傍に、各第２対向辺１１Ｃ、１１Ｄとの間に撓み空間１４を確保した状態で配され、両端が第１対向辺１１Ａ、１１Ｂに連結された帯板状の可撓梁１３と、可撓梁１３の長さ方向の両端近傍に配されることで、可撓梁１３の長さ方向の中間部１３ａを中間梁１２から離間する方向に略平行に変位自在とする弾性変形部１３ｂと、を有している。
【００２８】
この場合、弾性変形部１３ｂは、可撓梁１３の幅方向の両側縁に凹型の切欠１３ｃを入れて局部的に断面積を減らすことにより、弾性変形しやすい弱部として形成されている。また、中間梁１２の長さ方向の両端にも、両側縁に切欠１２ｃを入れることで変形しやすい弱部１２ｂが設けられており、それにより、中間梁１２の長さ方向の中間部１２ａが多少は平行に変位しやすいように構成されている。
【００２９】
また、フィルタＦ１、Ｆ２を係止する爪として、中間梁１２の上面側に、各フィルタ嵌込開口部Ｓ１、Ｓ２に向けてフィルタ周縁部係止用の第１の上側係止爪１８が突設され、第１対向辺１１Ａ、１１Ｂの各内縁の下面側に、フィルタ嵌込開口部Ｓ１、Ｓ２に向けてフィルタ周縁部係止用の第１の下側係止爪１６が突設され、可撓梁１３の下面側に、フィルタ嵌込開口部Ｓ１、Ｓ２に向けてフィルタ周縁部係止用の第２の下側係止爪１７が突設され、可撓梁１３の変位自在とされた長さ方向の中間部１３ａの上面側に、フィルタ嵌込開口部Ｓ１、Ｓ２に向けてフィルタ周縁部係止用の第２の上側係止爪２０が突設されている。
【００３０】
この第２の上側係止爪２０は、可撓梁１３の長さ方向の中間点に対し左右対称に互いに間隔をおいて２個設けられており、各第２の上側係止爪２０のフィルタ嵌込開口部Ｓ１、Ｓ２側の上面角部にはカム斜面２０ａが設けられている。
【００３１】
この構成のフィルタ枠１０ＡにフィルタＦ１、フィルタＦ２を組み付ける場合は、次のように行う。両フィルタＦ１、Ｆ２とも、同じように組み付けることができるので、ここでは片方のフィルタＦ１を組み付ける場合を例にとって、図４を参照しながら説明する。
【００３２】
フィルタＦ１を組み付ける場合は、まず、図４（ａ）に示すように、中間梁１２に突設した第１の上側係止爪１８の下側に、矢印Ｘのように長方形状のフィルタＦ１の第１の直線辺部Ｆａを差し込み、それに対向する第２の直線辺部Ｆｂの下端縁を第２の上側係止爪２０のカム斜面２０ａに当接させる。そして、その状態で、フィルタＦ１の第２直線辺部Ｆｂ側を矢印Ｙのように下方へ押圧することで、カム斜面２０ａの作用により可撓梁１３を外側に撓ませながら、第２の上側係止爪２０の下側にフィルタ１の第２の直線辺部Ｆｂを通過させ、それにより、図４（ｂ）及び図５に示すように、フィルタＦ１の下面周縁を第１、第２の下側爪１６、１７で受け止めると共に、フィルタＦ１の上面周縁を第１、第２の上面係止爪１８、２０で受け止め、フィルタＦ１を保持固定することができる。このようにフィルタＦ１を軽く押し込むだけで、接着剤などを使用せずに、フィルタＦ１を所定位置に嵌め込み固定することができるので、フィルタＦ１の組み付けが簡単にでき、軽作業でフィルタユニット１０を組み立てることができる。
【００３３】
この場合、図６に示すように、可撓梁１３の両端近傍に弾性変形部１３ｂがあることによって、可撓梁１３の長さ方向の中間部１３ａ全体が安定した姿勢のまま略平行に変位（変位した位置を二点鎖線で示す）することになり、フィルタＦ１の直線辺部Ｆｂの下面エッジが可撓梁１３上のカム斜面２０ａに押し当たった際に、局部当たりしにくくなる。特に、可撓梁１３の中間部１３ａの剛性を、帯板幅を大きくするなどして高めておけば、両端近傍の弾性変形部１３ｂだけに変形を集中させることができるので、カム斜面２０ａをフィルタＦ１の下面エッジに正しい姿勢で正対させることができ、無理な応力の発生を無くすことができる。従って、カム斜面２０ａにフィルタＦ１の下面エッジを押し当てた際の力の分散効果が期待できることになり、それによって、極めて薄いフィルタＦ１やガラスのようにデリケートなフィルタＦ１でも、傷つけることなく、所定位置に容易に嵌め込むことができる。
【００３４】
また、このフィルタ枠１０Ａは、フィルタＦ１、Ｆ２を嵌め込む開口部Ｓ１、Ｓ２の全周を囲む外周枠部１１を、可撓梁１３とは別に独立して有しているので、つまり、外周枠
部１１自体の一部の可撓性を利用しながらフィルタＦ１、Ｆ２を嵌め込む構造のものではないので、フィルタ枠１０Ａ全体の剛性を外周枠部１１によって負担することができ、その外周枠部１１によって、外力からフィルタＦ１、Ｆ２を安全に保護することができる。
【００３５】
また、本実施形態では、間隔をおいて第２の上側係止爪２０を２個設けているので、第２の上側係止爪２０と第２の下側係止爪１７とを重ならない位置に配置することができ、樹脂で成形しやすくなる。また、第２の上側係止爪２０を左右対称に配置しているので、バランスよくフィルタＦ１、Ｆ２をカム斜面２０ａに当てることができ、フィルタＦ１、Ｆ２に局部的な応力が発生するのを極力避けることができる。
【００３６】
また、可撓梁１３の両側縁に切欠１３ｃを入れることで弾性変形部１３ｂを形成しているので、特性を揃えた弾性変形部１３ｂを簡単に設けることができ、カム斜面２０ａに向けてのフィルタＦ１、Ｆ２の下方への押圧によって、安定した姿勢のまま、可撓梁１３の中間部１３ａを略平行に変位させることができ、無理なくフィルタＦ１、Ｆ２を所定位置に嵌め込むことができる。
【００３７】
また、本実施形態では、中間梁１２の両端に弱部１２ｂを設け、中間梁１２にも多少の変位しやすさを与えている。従って、フィルタＦ１、Ｆ２やフィルタ枠１０Ａの寸法誤差を、中間梁１２の撓みによって多少は吸収することができる。
【００３８】
図７は、本考案と比較例の可撓梁１３、１１３の変位の仕方の差を示すものである。
（ａ）に示すように、可撓梁１３の両端に弾性変形部１３ｂを設け、その部分の集中的な変形により、可撓梁１３の中間部１３ａを変位させるように構成した本考案の場合と、（ｂ）に示すように、可撓梁１１３の両端に弾性変形部１３ｂを設けないで、可撓梁１１３の全体の可撓性を利用する場合とを比較してみると、（ａ）の方は、可撓梁１３の中間部１３ａが平行に変位することになるが、（ｂ）の方は、可撓梁１１３が弓なりに変形することになる。
【００３９】
つまり、（ｂ）の方は、可撓梁１１３が弓なりに変形するために、上側係止爪２０のカム斜面２０ａが、フィルタの下面エッジに正対しなくなるおそれがあり、フィルタの下面エッジに無用な応力集中をもたらす可能性がある。これに対して、（ａ）に示す本考案の場合は、フィルタの下面エッジに対して上側係止爪２０のカム斜面２０ａが正対することになり、カム斜面２０ａに対してフィルタの下面エッジが広い範囲で線接触することになり、それにより、応力が集中するのを避けることができる。従って、傷付きのおそれなく、フィルタを嵌め込むことができることが分かる。
【００４０】
なお、上記第１実施形態では、フィルタＦ１、Ｆ２を２枚並べてフィルタ枠１０Ａに嵌め込む場合の例を説明したが、１枚のフィルタを嵌め込む場合にも本考案は適用することができる。
【００４１】
図８は１枚のフィルタを嵌め込むための第２実施形態のフィルタ枠１０Ｂの概略構成を示している。このフィルタ枠１０Ｂでは、上記第１実施形態における中間梁１２の部分が、外周枠部１１の１つの第２対向辺１１Ｄで置き換わっており、この第２対向辺１１Ｄの上面側に第１の上側係止爪１８が突設されている。それ以外は、上記実施形態とほぼ同様であり、フィルタを嵌め込むときの作用についても同様である。
【図面の簡単な説明】
【００４２】
【図１】本考案の第１実施形態のフィルタ枠を使用したフィルタ切換装置の平面図である。
【図２】第１実施形態のフィルタ枠の構成図であり、（ａ）は平面図、（ｂ）は（ａ）のＩＩｂ−ＩＩｂ矢視断面図、（ｃ）は（ａ）のＩＩｃ−ＩＩｃ矢視断面図である。
【図３】同フィルタ枠の裏側から見た平面図である。
【図４】フィルタ枠にフィルタを嵌め込む際の作用説明用の要部断面図で、（ａ）はフィルタを嵌め込む途中の状態を示す断面図、（ｂ）はフィルタを嵌め込んだ後の状態を示す断面図である。
【図５】フィルタを嵌め込んだ後の状態を別の方向から見た断面図である。
【図６】フィルタを嵌め込む際の可撓梁の撓みの様子を示す部分拡大平面図である。
【図７】本考案（ａ）と比較例（ｂ）を比べた場合の作用説明のための部分平面図である。
【図８】本考案の第２実施形態のフィルタ枠の平面図である。
【符号の説明】
【００４３】
１  スライドベース
２  フィルタ駆動装置
１０  フィルタユニット
１０Ａ  フィルタ枠
１１  外周枠部
１１Ａ，１１Ｂ  第１対向辺
１１Ｃ，１１Ｄ  第２対向辺
１２  中間梁
１３  可撓梁
１３ａ  中間部
１３ｂ  弾性変形部
１３ｃ  切欠
１４  撓み空間
１６  第２の下側係止爪
１７  第１の下側係止爪
１８  第１の上側係止爪
２０  第２の上側係止爪
２０ａ  カム斜面
Ｆａ  第１の直線辺部
Ｆｂ  第２の直線辺部
Ｆ１，Ｆ２  フィルタ
Ｓ１，Ｓ２  フィルタ嵌込開口部
【図１】
0003128638.tif 000003
【図２】
0003128638.tif 000004
【図３】
0003128638.tif 000005
【図４】
0003128638.tif 000006
【図５】
0003128638.tif 000007
【図６】
0003128638.tif 000008
【図７】
0003128638.tif 000009
【図８】
0003128638.tif 000010